(57)【要約】【課題】出入口から便器装置の使用者が見えにくい浴室ユニットを提供する。【解決手段】浴室ユニット１００は、湯を溜める浴槽１と、浴槽１に隣接する浴槽前床５０と、浴槽前床５０に配設される便器装置７１と、を備える。浴室ユニット１００は、浴槽前床５０の浴槽１側の第１側辺５１に対向する第２側辺５２から浴槽１側または浴槽１と反対側に向かって延びる第１壁部６１を備える。浴槽前床５０は、第１壁部６１の一面側に接する床部５０ａを有し、床部５０ａに便器装置７１が配置されている。第１壁部６１の他面側に浴槽前床５０への出入口６６が設けられている。【選択図】図１
2019143411.tif 000002
【特許請求の範囲】
【請求項１】
湯を溜める浴槽と、前記浴槽に隣接する浴槽前床と、前記浴槽前床に配設される便器装置と、を備える浴室ユニットにおいて、
前記浴槽前床の前記浴槽側の第１側辺に対向する第２側辺から前記浴槽側または前記浴槽と反対側に向かって延びる第１壁部を備え、
前記浴槽前床は、前記第１壁部の一面側に接する床部を有し、
前記床部に前記便器装置が配置されており、前記第１壁部の他面側に前記浴槽前床への出入口が設けられていることを特徴とする浴室ユニット。
【請求項２】
湯を溜める浴槽と、前記浴槽に隣接する浴槽前床と、前記浴槽前床に配設される便器装置と、を備える浴室ユニットにおいて、
前記浴槽前床の前記浴槽側の第１側辺から、前記第１側辺に交差する方向に延びる第２壁部を備え、
前記浴槽前床は、前記第２壁部の前記浴槽と反対の一面側に接する床部を有し、
前記床部に前記便器装置が配置されており、前記第２壁部の他面側に前記浴槽前床への出入口が設けられていることを特徴とする浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された浴槽前床を有する。浴室ユニットは、周囲を壁パネル、上方を天井パネルで覆われている。浴室ユニット内の空間には、浴槽のほか、洗面器やトイレが設けられることもあり、ユーザがより快適に浴室ユニットを利用するための工夫がなされている。
【０００３】
例えば、特許文献１には、ユニット躯体の前壁部および後壁部を繋ぐ間仕切りが設けられ、間仕切りにより区画された第１空間に便器装置が、第２空間に浴室が配置されているユニットが開示されている。ユニットは、第１空間側において、後壁部に設けた出入口と、出入口を開閉する開閉扉と、前後に区画する腰壁と、腰壁の前壁部側に設けた便器装置と、を備える。
【先行技術文献】
【特許文献】
【０００４】
【特許文献１】特開２０１５−１２４５７９号公報
【発明の概要】
【発明が解決しようとする課題】
【０００５】
特許文献１に記載のユニットは、開閉扉を開状態にすると、ユニットの内部全体が見えてしまい、第１空間を前後に区画する腰壁があるものの、便器装置の使用者が出入口から視認されてしまう。
【０００６】
本発明は、斯かる事情に鑑みてなされたものであり、その目的とするところは、出入口から便器装置の使用者が見えにくい浴室ユニットを提供することにある。
【課題を解決するための手段】
【０００７】
本発明に係る浴室ユニットは、湯を溜める浴槽と、前記浴槽に隣接する浴槽前床と、前記浴槽前床に配設される便器装置と、を備える浴室ユニットにおいて、前記浴槽前床の前記浴槽側の第１側辺に対向する第２側辺から前記浴槽側または前記浴槽と反対側に向かって延びる第１壁部を備え、前記浴槽前床は、前記第１壁部の一面側に接する床部を有し、前記床部に前記便器装置が配置されており、前記第１壁部の他面側に前記浴槽前床への出入口が設けられていることを特徴とする。
【発明の効果】
【０００８】
本発明によれば、浴室ユニットは出入口から便器装置の使用者が見えにくい。
【図面の簡単な説明】
【０００９】
【図１】実施形態に係る浴室ユニットの上面断面図である。
【図２】出入口から見た浴室ユニット内側の外観図である。
【図３】図３（ａ）および図３（ｂ）は、変形例に係る浴室ユニットの上面断面図である。
【図４】図４（ａ）および図４（ｂ）は、別の変形例に係る浴室ユニットの上面断面図である。
【図５】図５は、別の変形例に係る浴室ユニットの上面断面図である。
【発明を実施するための形態】
【００１０】
以下、本発明を好適な実施の形態をもとに図１から図５を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は実施形態に係る浴室ユニット１００の上面断面図であり、図２は出入口６６から見た浴室ユニット１００内側の外観図である。尚、図２において洗面器７３の記載は省略されている。浴室ユニット１００は、浴槽１、仕切部２、浴槽前床５０、第１壁部６１、および便器装置７１等を有する。浴槽１は、平面視矩形状をなし、湯を溜めることができる深皿状である。浴槽１は、上縁部１０に配設された壁部６０ａ、６０ｂおよび６０ｃ、並びに仕切部２によって周囲が覆われ、上方を天井パネル６５によって覆われている。
【００１２】
浴槽１は、底部１１に排水栓１２、および内側面等にオーバーフロー栓（図示略）を有し、排水栓１２を閉状態にして浴槽１に湯を溜めることができ、排水栓１２を開状態にして浴槽１から湯を抜く。浴槽１は、例えば壁部６０ｂにシャワー装置および給水装置（図示略）が配設されており、ユーザは、浴槽１内において、シャワー装置からの湯水を浴び、給水装置によって浴槽１に湯を溜めて入浴する。
【００１３】
浴槽１の下方には排水部３が設けられている。排水部３は、排水栓１２およびオーバーフロー栓（図示略）からの排水を、排水管３１を通して建築側の排水路９へ排出する。排水部３には、トラップ部（図示略）を設け、排水をトラップ部に溜まった状態を保つ。
【００１４】
仕切部２は、浴槽１の上縁部１０の４辺のうち、浴槽１に隣接する浴槽前床５０側の一辺に設けられている。仕切部２は、開閉可能な引違い戸である扉２０を有しており、浴槽１と浴槽前床５０とは、間仕切りとしての扉２０によって仕切られている。
【００１５】
扉２０は、内障子２０ａおよび外障子２０ｂを有している。内障子２０ａおよび外障子２０ｂは、長方形状に組み立てられた戸先框、戸尻框、下框および上框の内側にガラス製または樹脂製等の板を嵌め込んで構成されている。扉２０の内障子２０ａおよび外障子２０ｂは、枠部２２に嵌め込まれており、両障子ともスライドさせることにより開閉することができる。枠部２２は、浴槽１の上縁部１０から天井パネル６５（図２参照）にかけて設けられている。
【００１６】
枠部２２は、浴槽前床５０から見て左右の縦枠、下枠、および上枠を有している。枠部２２の左右の縦枠は、壁部６０ｂおよび６０ｃに固定されている。枠部２２の下枠は、浴槽１の上縁部１０上に添うように、左右の縦枠間に設けられている。枠部２２の上枠は、左右の縦枠の上端部に連結されている。
【００１７】
浴槽前床５０には、浴槽１側の第１側辺５１に対向する第２側辺５２に壁部６０ｄが設けられており、第２側辺５２の中途部には、浴槽１と反対側に延びる第１壁部６１が設けられている。第１壁部６１は、浴槽前床５０から天井パネル６５まで延びている。浴槽前床５０は、第１壁部６１の一面側に接する床部５０ａを有し、床部５０ａには便器装置７１が設けられている。便器装置７１は、浴槽１側を前にして配置されている。床部５０ａは、第１壁部６１、第１壁部６１に対向する壁部６０ｅ、並びに、第１壁部６１および壁部６０ｅに連続する壁部６０ｆによって囲まれている。第２側辺５２は、壁部６０ｄおよび壁部６０ｆのうち浴槽１側に近い壁部６０ｄに接する浴槽前床５０の側辺に相当している。尚、便器装置７１は、便器本体に便座や便蓋などが取り付けられており、便器装置７１の使用者は、便座に着座して便器装置７１を使用することができる。
【００１８】
壁部６０ｅおよび６０ｆに沿ってカウンタ７２が設けられており、カウンタ７２の下方に便器装置７１の排水管７１ａが配設されている。カウンタ７２は前縁から垂下する前板７２ａを有しており、前板７２ａで排水管７１ａを隠す。排水管７１ａは、壁部６０ｅおよび６０ｆの床部５０ａおよび浴槽前床５０側に配設されており、建築側の排水路９に近い浴室ユニット１００の壁部を貫通して浴室ユニット１００の外部に引き出され、建築側の排水路９へ接続される。第１壁部６１の他面側であって、浴室ユニット１００の外部となる空間には、図１に示すように、例えば洗面器７３などを配置することによりスペースを有効活用することができる。
【００１９】
浴槽前床５０への出入口６６は、壁部６０ｄの端部において、第１側辺５１および第２側辺に交差する側辺に設けられ、第１壁部６１の他面側に位置している。出入口６６は、開き戸である開閉扉６６ａによって開閉可能となっている。開閉扉６６ａを開状態として出入口６６から浴室ユニット１００内を見たとき、便器装置７１の前部が僅かに見えるものの、便器装置７１の前後方向における中途部から後部に亘る部分は、壁部６０ｄおよび第１壁部６１の向こう側に隠れている。
【００２０】
次に浴室ユニット１００の作用について説明する。浴室ユニット１００は、浴槽前床５０の第２側辺５２から浴槽１と反対側に向かって延びる第１壁部６１を備えており、第１壁部６１に接する床部５０ａに便器装置７１を配置することができる。図２に示したように出入口６６からは、床置きになっている装置として便器装置７１の前部が僅かに見えている程度であり、浴室ユニット１００の内部空間が整頓されており、移動し易い印象をユーザに与えることができる。また、浴室ユニット１００は、出入口６６から奥側の壁部６０ｅまで見渡すことができる。
【００２１】
浴室ユニット１００内に、便器装置７１の便座に着座して便器装置７１を使用している使用者が居る場合、出入口６６からは、便器装置７１に着座している使用者の脚が見える可能性がある。一方、便器装置７１の前後方向における中途部から後部に亘る部分は、壁部６０ｄおよび第１壁部６１の向こう側に隠れている。便器装置７１に着座している使用者の上半身や顔は、壁部６０ｄおよび第１壁部６１によって隠れており、出入口６６から使用者の上半身や顔を目視し難く、便器装置７１の使用者が見えにくくなっている。
【００２２】
便器装置７１の排水管７１ａを壁部６０ｅおよび６０ｆに沿って浴室ユニット１００内に配設することによって、壁部６０ｃの裏側の配管スペースを狭くし、壁部６０ｅおよび６０ｆを建築側の壁面に近づけられるので、浴室ユニット１００内の空間を広くすることができる。
【００２３】
便器装置７１の排水管７１ａはカウンタ７２の下方に設けられており、前板７２ａによって隠すことができ、浴槽前床５０の内部空間の見栄えが良くなり、ユーザが心地よく浴槽前床５０を使用することができる。また、排水管７１ａの上方にカウンタ７２が設けられていることで排水管７１ａの上方の空間を機能的に利用することができる。
【００２４】
また浴室ユニット１００は、浴槽１の下方に排水部３が接続されている。排水部３は浴槽１の下方に配設されるトラップ部を有しているので、浴槽前床５０の下方にトラップ部を設ける必要がなく、浴槽前床５０の高さを抑制することができる。
【００２５】
（変形例）
図３（ａ）および図３（ｂ）は、変形例に係る浴室ユニットの上面断面図である。図３（ａ）に示す変形例に係る浴室ユニット１００では、出入口６６は壁部６０ｄに設けられている。出入口６６に設けた開閉扉６６ａを開状態とすると、出入口６６の正面方向に浴槽１および仕切部２があり、便器装置７１は、出入口６６から見て右側方向にあり見え難くなっている。
【００２６】
図３（ｂ）に示す変形例に係る浴室ユニット１００では、第１壁部６１が図１に示した位置から、出入口６６に近づいた位置に設けられている。この変形例においても、便器装置７１の前後方向における中途部から後部に亘る部分は、壁部６０ｄおよび第１壁部６１の向こう側に隠れている。便器装置７１に着座している使用者の上半身や顔は、第１壁部６１によって隠れており、出入口６６から使用者の上半身や顔を目視し難く、便器装置７１の使用者が見えにくくなっている。尚、図３（ｂ）における出入口６６を壁部とし、洗面器を除去して壁部６０ｄを出入口としてもよい。
【００２７】
図４（ａ）および図４（ｂ）は、別の変形例に係る浴室ユニット１００の上面断面図である。図４（ａ）に示す変形例に係る浴室ユニット１００では、第１壁部６１は第２側辺５２から浴槽１側に向かって延びるように設けられている。また第１壁部６１は、浴槽前床５０から天井パネルまで延びるか、または背丈程度の高さとする。第１壁部６１の一面側に接する床部５０ａが設けられており、床部５０ａに便器装置７１が配置されている。浴室ユニット１００の出入口６６は、第１壁部６１の他面側に設けられている。
【００２８】
この変形例においても、少なくとも便器装置７１の前後方向における中途部から後部に亘る部分を第１壁部６１によって隠すようにする。浴室ユニット１００は、出入口６６から見て、便器装置７１に着座している使用者の上半身や顔が第１壁部６１によって隠れており、出入口６６から便器装置７１の使用者の上半身や顔を目視し難く、便器装置７１の使用者が見えにくくなっている。
【００２９】
図４（ｂ）に示す変形例に係る浴室ユニット１００では、第１壁部６１が出入口６６に近づいた位置に設けられている。この変形例においても、便器装置７１は、第１壁部６１の向こう側に隠れており、出入口６６から便器装置７１の使用者が見えにくくなっている。尚、図４（ａ）および図４（ｂ）における出入口６６を壁部とし、洗面器を適宜除去して壁部６０ｄに出入口６６を設ける構成としてもよい。
【００３０】
図５は、別の変形例に係る浴室ユニット１００の上面断面図である。この変形例に係る浴室ユニット１００では、浴槽前床５０における第１側辺５１から、第１側辺５１に交差する方向に浴槽１側へ延びるように第２壁部６２を設けている。第２壁部６２は、壁部６０ｂの外側であって浴槽１の外部に設けられている。
【００３１】
便器装置７１は、第２壁部６２の浴槽１と反対の一面側に接する床部５０ａに、浴槽前床５０側を前として配置されている。浴室ユニット１００への出入口６６は、第２壁部６２の他面側となる壁部６０ｇに設けられている。尚、壁部６０ｇは、浴槽１における壁部６０ｃ側における浴槽前床５０を囲む壁部である。
【００３２】
この変形例においても、便器装置７１の前後方向における中途部から後部に亘る部分は、第２壁部６２の向こう側に隠れており、出入口６６から便器装置７１の使用者が見えにくくなっている。
【００３３】
上述の実施形態および各変形例において、仕切部２に設ける扉２０は、引違い戸を例にして説明したが、扉２０は引き戸、開き戸および折れ戸などとしてもよい。また、浴室ユニット１００の出入口６６に設ける開閉扉６６ａは、開き戸の蝶番の位置および開く方向が実施形態および変形例に示したものに限られず、また引き戸、引違い戸、折れ戸などとしても良い。
【００３４】
次に、各実施形態および各変形例に係る浴室ユニット１００の特徴を説明する。
浴室ユニット１００は、湯を溜める浴槽１と、浴槽１に隣接する浴槽前床５０と、浴槽前床５０に配設される便器装置７１と、を備える。浴室ユニット１００は、浴槽前床５０の浴槽１側の第１側辺５１に対向する第２側辺５２から浴槽１側または浴槽１と反対側に向かって延びる第１壁部６１を備える。浴槽前床５０は、第１壁部６１の一面側に接する床部５０ａを有し、床部５０ａに便器装置７１が配置されている。第１壁部６１の他面側に浴槽前床５０への出入口６６が設けられている。これにより、浴室ユニット１００は、出入口６６から、便器装置７１に着座している使用者の上半身や顔が、壁部６０ｄおよび第１壁部６１によって隠れており、出入口６６から使用者の上半身や顔を目視し難く、便器装置７１の使用者が見えにくい。
【００３５】
また浴室ユニット１００は、湯を溜める浴槽１と、浴槽１に隣接する浴槽前床５０と、浴槽前床５０に配設される便器装置７１と、を備える。浴室ユニット１００は、浴槽前床５０の浴槽１側の第１側辺５１から、第１側辺５１に交差する方向に延びる第２壁部６２を備える。浴槽前床５０は、第２壁部６２の浴槽１と反対の一面側に接する床部５０ａを有し、床部５０ａに便器装置７１が配置されている。第２壁部６２の他面側に浴槽前床５０への出入口６６が設けられている。これにより、これにより、浴室ユニット１００は、出入口６６から、便器装置７１に着座している使用者の上半身や顔が、第２壁部６２によって隠れており、出入口６６から使用者の上半身や顔を目視し難く、便器装置７１の使用者が見えにくい。
【００３６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００３７】
１  浴槽、  ５０  浴槽前床、  ５０ａ  床部、  ５１  第１側辺、
５２  第２側辺、  ６１  第１壁部、  ６２  第２壁部、  ６６  出入口、
７１  便器装置、  １００  浴室ユニット。
【図１】
2019143411.tif 000003
【図２】
2019143411.tif 000004
【図３】
2019143411.tif 000005
【図４】
2019143411.tif 000006
【図５】
2019143411.tif 000007